(57)【要約】      （修正有）【課題】使用時にはロック軸の回転操作によって錠止の解除動作と取手本体の押し上げ動作を一連に行なえるフロアハッチ用取手を提供する。【解決手段】固定ベース１の握り部用凹部２の底部中心の受孔７に、取手本体４の脚棒６を回転不能かつ上下動可能に嵌挿し、脚棒６の下端部側面に従動カム突起８を設ける。固定ベース１のロック軸用凹部３の底部中心の軸孔１２にロック軸９の軸主体１１を嵌挿し、軸主体１１の下端部に連結した駆動カム１４の側面部に、従動カム突起８が当接するカム斜面を形成する。取手本体の握り部５が握り部用凹部２に収納されているとき、従動カム突起８が係合する錠止溝部１６をカム斜面の最深部に形成する。ロック軸９の回転操作によってカム斜面で従動カム突起８を押し上げることによって、握り部５を握り可能位置に突出させる。【選択図】図４
2007332557.tif 000002
【特許請求の範囲】
【請求項１】
フロアハッチ３０に埋込み固着され、握り部用凹部２とロック軸用凹部３を隣り合わせて設けた固定ベース１と、
前記取手用凹部２に収納される握り部５と、前記握り部用凹部２の底部中心の受孔７に回転不能かつ上下動可能に嵌挿される脚棒６とからなり、前記脚棒６の下端部側面に従動カム突起８を設けた取手本体４と、
前記ロック軸用凹部３に回転可能に収納される頭部１０と、前記ロック軸用凹部３の底部中心の軸孔１２に嵌挿される軸主体１１とからなり、前記頭部１０の上面に回転操作部１３を設けたロック軸９と、
前記軸主体１１の下端部に連結され、前記従動カム突起８が当接するカム斜面１５を側面部に形成し、前記握り部５が前記握り部用凹部２に収納されているとき、前記従動カム突起８が係合する錠止溝部１６を前記カム斜面１５の最深部に形成した駆動カム１４とからなり、
前記ロック軸９の回転操作によって前記カム斜面１５で前記従動カム突起８を押し上げることによって、前記握り部５を握り可能位置に突出させるようにしたフロアハッチ用取手。
【発明の詳細な説明】
【技術分野】
【０００１】
本発明は、床下収納庫等のフロアハッチの扉に使用される埋込み型取手に関するものである。
【背景技術】
【０００２】
フロアハッチ用取手は、不使用時には歩行の障害とならないように床面と同一平面内に収納保持されている一方、使用時には扉の引上げ回転操作のために迅速に床面上方に引出される必要がある。
取手本体の偶発的な浮上り突出をなくして安全に使用できるものとして、ロック機能付きのフロアハッチ用取手が提案されている（特許文献１参照）。
【０００３】
このフロアハッチ用取手は、フロアハッチに埋込み固着される固定ケースと；前記固定ケースに上下動自在に収容され、下面に突設した軸棒の中間部にストッパー突起を設け、前記固定ケースの底壁板部の軸孔から突出した軸棒の下端部に抜止め突起を設けた取手本体と；前記固定ケースの底壁板部に垂直方向のロック軸によって枢着され、前記軸棒に係合する先端フック部の縁部が前記ストッパー突起の上面に当接するロック板とから成り、前記固定ケースの上面に露出する前記ロック軸の上端面に回動操作部を設けたものである。
【０００４】
しかしながら、このロック機能付きのフロアハッチ用取手では、前記ロック軸を回転操作しても前記軸棒が押し上げられるものではなく、前記取手本体の握り部を前記固定ケースの上面部の収納用凹部から握り可能位置に引き出すには、前記収納用凹部と前記握り部の間に残されている指先差込用隙間部に指先を差込み、前記握り部を摘み上げなければならない。
【０００５】
前記握り部の摘み上げ操作は、前記軸棒や前記軸孔内面部に錆付きや塵埃などの異物が存在するときには、これらが前記軸棒の引上げ時の抵抗となったり、前記握り部に指先を掛けること自体が難しくなるため、なかなか迅速に行なえないことがある。また、摘み上げ操作のために固定ケースの上面部に残されている前記隙間部には、塵埃庵などの異物が溜まり易く、フロアを清浄に保つときの障害にもなる。
【０００６】
【特許文献１】実公平６−２５５７４号公報
【発明の開示】
【発明が解決しようとする課題】
【０００７】
本発明の課題は、不使用状態では取手本体の握り部を固定ベースの上面と同一面位置に的確に錠止することができる一方、使用時にはロック軸の回転操作によって錠止の解除動作と取手本体の押し上げ動作を一連に行なえるため、操作性に優れたフロアハッチ用取手を提供することである。
【課題を解決するための手段】
【０００８】
本発明のフロアハッチ用取手は、フロアハッチ３０に埋込み固着され、握り部用凹部２とロック軸用凹部３を隣り合わせて設けた固定ベース１と、
前記取手用凹部２に収納される握り部５と、前記握り部用凹部２の底部中心の受孔７に回転不能かつ上下動可能に嵌挿される脚棒６とからなり、前記脚棒６の下端部側面に従動カム突起８を設けた取手本体４と、
前記ロック軸用凹部３に回転可能に収納される頭部１０と、前記ロック軸用凹部３の底部中心の軸孔１２に嵌挿される軸主体１１とからなり、前記頭部１０の上面に回動操作部１３を設けたロック軸９と、
前記軸主体１１の下端部に連結され、前記従動カム突起８が当接するカム斜面１５を側面部に形成し、前記握り部５が前記握り部凹部２に収納されているとき、前記従動カム突起８が係合する錠止溝部１６を前記カム斜面１５の最深部に形成した駆動カム１４とからなり、
前記ロック軸９の回転操作によって前記カム斜面１５で前記従動カム突起８を押し上げることによって、前記握り部５を握り可能位置に突出させるようにしたものである。
【発明の効果】
【０００９】
本発明のフロアハッチ用取手では、取手本体４の脚棒６が固定ベース１の受孔７に回転を阻止されて嵌挿されており、駆動カム１４のカム斜面１５に脚棒６の従動カム突起８が当接しているため、ロック軸９を所定方向に回転操作すると、回転操作の当初段階で従動カム突起８が駆動カム１４の錠止溝部１６から脱出することによって、固定ベース１に対する取手本体３の錠止拘束が解除される。ロック軸９の回転操作が更に続行されると、駆動カム１４のカム斜面１５によって従動かむ突起８が押し上げられるため、取手本体４は握り部５が固定ベース１の握り部用凹部２から脱出し、回転操作の終端位置では、作業者が容易にアクセスできる握り可能位置まで的確に上昇する。
このように本発明のフロアハッチ用取手は、取手本体の握り部を固定ベースの上面と同一面位置に的確に錠止できる一方、ロック軸の回転操作によって前記錠止の解除動作と取手本体の押し上げ動作を一連に行なえるため、操作性に優れている。
【００１０】
取手本体４の握り部５が固定ベース１の握り部用凹部２に収納された取手不使用状態では、従動カム突起８の先端部が駆動カム１４の錠止溝部１６に入り込んでおり、その上側内面１６ａに当接するため、取手本体４は不使用位置に安定に錠止拘束され、振動などを受けて握り部５が妄りにフロアハッチ３０の上面レベルから浮上して歩行などの障害となることがない。
【００１１】
上記のように駆動カム１４と従動カム突起８の協働作用によって取手本体４が所要高さまで押し上げられるため、作業者が指先を差し込んで握り部を摘みあげるための隙間部を握り部５と握り部用凹部２の間に残して置く必要がない。そのため、隙間部に塵埃などの異物が溜まり込んでしまうことがなく、フロアをいつも清浄状態に置くことができる。
【実施例】
【００１２】
図示の実施例では、取手本体４は概略Ｔ字状に形成され、握り部５は平板状に形成されている。握り部５の中央部下面に連設された脚棒６は丸棒状であり、脚棒６の周面には下端部付近を除き、帯板状の回転止め用突起１７を長さ方向に形成してある。固定ベース１の前記受孔７の内面には、前記突起１７が係合する回転止め用溝１８が形成されており、脚棒６は回転を阻止されながら上下動するようになっている。
【００１３】
上記実施例とは反対に、固定ベース１の受孔７の内面に回転止め用突起を形成し、取手本体４の脚棒６の側面に回転止め用溝を長さ方向に形成し、両者を係合させることによって、取手本体４を固定ベース１に対して回転不能かつ上下方向に移動可能に配置することもできる。固定ベース１は４個ぼ取付孔３２を通るビスなどの固着具によってフロアハッチ３０に締付け固着され、固着具の頭部は握り部５によって隠蔽される。
【００１４】
固定ベース１は、金属板で上下２枚合わせに構成されており、握り部用凹部２は、取手本体５の握り部５と略同大同形に下位側金属板に曲げ形成されている。従動カム突起８はピン状に形成され、脚棒６の下端横孔３１に嵌挿固定されている。握り部用凹部２とロック軸用凹部３を形成した固定ベース１の下位側金属板の膨出部は、フロアハッチ３０に形成した取付開口３３に嵌め込まれ、固定ベース１の上位側金属板は、フロアハッチ３０の取付段差部３４に嵌合されている。
【００１５】
円盤状の駆動カム１４の中央孔１９にはロック軸９の軸主体１１の下端部が嵌挿され、固定ピン２０によって駆動カム１４がロック軸９に一体回転するように連結されている。ロック軸９の頭部１０は軸主体１１よりも大径に形成されており、固定ベース１の軸孔１２の上面孔縁部に当接することによって、ロック軸９の下方への抜脱が阻止されている。固定ベース１のロック軸用凹部３は、軸主体１１の頭部１０と略同大同形に下位側金属板に曲げ形成されている。
【００１６】
ロック軸９の軸主体１には、圧縮コイルバネ２１が嵌められており、圧縮コイルバネ２１の上端は固定ベース１の底面に圧接し、圧縮コイルバネ２１の下端は駆動カム１４の上面に圧接している。圧縮コイルバネ２１の弾圧付勢によって、駆動カム１４は所定の押し下げ位置に保持され、取手本体４の従動カム突起８は錠止溝部６またはカム斜面１５に係合した状態に保持されている。
【００１７】
カム斜面１５が形成された従動カム１４の側面部は、最深部にある錠止溝部１６を除き、上方空間に向かって開放されており、図２の鎖線で示したように取手本体４が最上位置まで引き上げられるとき、駆動カム１４がその妨げとなることがない。
【００１８】
この最上位置から取手本体４を押し下げ、握り部５を固定ベース１の握り部用凹部２に収納するとき、前記圧縮コイルバネ２１の弾圧付勢によって、駆動カム１４は従動カム突起８がカム斜面１５から離れた時点の位置に安定に保持されているため、駆動カム１４と従動カム突起８の上端部１５ａとの再係合が的確に行なえる。
【００１９】
ロック軸９の頭部１０の上面部には、回転操作部１３として円形窪み部２２と偏心突起２３が設けられており、キーハンドル２４の先端部には、円形窪み部２２に嵌合される駆動円柱部２５と、偏心突起２３に嵌合される偏心凹部２６を形成してある。ロック軸９は、このキーハンドル２４によって所定方向に回転操作される。
【００２０】
駆動カム１４の側面部には、カム斜面１５の反対側部位にラッチ突起２７を突設することができ、ラッチ突起２７をフロアハッチ３０の受け枠２８側の受金部２９に係合させることもできる。この場合には、本発明の取手自体がフロアハッチの施錠手段を兼ねているため、フロアハッチに別途施錠手段を付設する必要がなくなる。
【図面の簡単な説明】
【００２１】
【図１】本発明の一実施例に係るフロアハッチ用取手の平面図である。
【図２】図１のフロアハッチ用取手の正面図である。
【図３】図１のフロアハッチ用取手の右側面図である。
【図４】図１のフロアハッチ用取手の縦断面図である。
【図５】図１のフロアハッチ用取手の底面図である。
【符号の説明】
【００２２】
１  固定ベース
２  握り部用凹部
３  ロック軸用凹部
４  取手本体
５  取手本体の握り部
６  取手本体の脚棒
７  固定ベースの受孔
８  従動カム突起
９  ロック軸
１０  ロック軸の頭部
１１  ロック軸の軸主体
１２  固定ベースの軸孔
１３  ロック軸の回転操作部
１４  駆動カム
１５  駆動カムのカム斜面
１６  カム斜面の錠止溝部
１７  脚棒の回転止め用突起
１８  固定ベースの回転止め用溝
１９  駆動カムの中央孔
２０  駆動カムの固定ピン
２１  圧縮コイルバネ
２２  回転操作部の円形窪み部
２３  回転操作部の偏心突起
２４  キーハンドル
２５  キーハンドルの駆動円柱部
２６  キーハンドルの偏心凹部
２７  駆動カムのラッチ突起
２８  フロアハッチの受け枠
２９  受け枠の受金部
３０  フロアハッチ
３１  脚棒の下端横孔
３２  固定ベースの取付孔
３３  フロアハッチの取付開口
３４  フロアハッチの取付段差部
【図１】
2007332557.tif 000003
【図２】
2007332557.tif 000004
【図３】
2007332557.tif 000005
【図４】
2007332557.tif 000006
【図５】
2007332557.tif 000007